(57)【要約】【課題】エジェクタの冷媒吸引口に接続される吸引側蒸発器の着霜を抑制可能なエジェクタ式冷凍サイクルを提供する。【解決手段】エジェクタ１５から流出した冷媒を蒸発させる流出側蒸発器１６における冷媒蒸発温度である流出側冷媒温度Ｔｏｅが第１基準温度ＫＴＨより低くなったときに、エジェクタ１５のノズル部１５ａの絞り通路面積を縮小させるとともに、エジェクタ１５の冷媒吸引口１５ｂに接続される吸引側蒸発器１８上流側に配置された電気式膨張弁１７の絞り通路面積を拡大させる。これにより、流出側蒸発器１６の冷媒蒸発温度と吸引側蒸発器１８の冷媒蒸発温度との温度差を縮小して、吸引側蒸発器１８の着霜を抑制する。【選択図】図２
2009300028.tif 000002
【特許請求の範囲】
【請求項１】
冷媒を圧縮して吐出する圧縮機（１１）と、
前記圧縮機（１１）から吐出された高温冷媒を放熱させる放熱器（１２）と、
前記放熱器（１２）から流出した冷媒の流れを分岐する分岐部（１３）と、
前記分岐部（１３）にて分岐された一方の冷媒を減圧膨張させるノズル部（１５ａ）から噴射する高速度の噴射冷媒の流れによって冷媒吸引口（１５ｂ）から冷媒を吸引して、前記噴射冷媒と前記冷媒吸引口（１５ｂ）から吸引された吸引冷媒との混合冷媒を昇圧するエジェクタ（１５）と、
前記エジェクタ（１５）から流出した冷媒を蒸発させて、前記圧縮機（１１）吸入側へ流出させる流出側蒸発器（１６）と、
前記分岐部（１３）にて分岐された他方の冷媒を減圧膨張させる減圧手段（１７）と、
前記減圧手段（１７）にて減圧膨張された冷媒を蒸発させて、前記冷媒吸引口（１５ｂ）上流側へ流出させる吸引側蒸発器（１８）と、
前記流出側蒸発器（１６）における冷媒蒸発温度に相関を有する物理量を検出する流出側温度検出手段（３３、３４）とを備え、
前記流出側温度検出手段（３３、３４）により検出された流出側冷媒温度（Ｔｏｅ）が予め定めた第１基準温度（ＫＴＨ）より低くなったときに、前記流出側冷媒温度（Ｔｏｅ）が前記第１基準温度（ＫＴＨ）となっているときの前記流出側蒸発器（１６）の冷媒蒸発温度と前記吸引側蒸発器（１８）の冷媒蒸発温度との温度差よりも、前記温度差を縮小させる温度差縮小運転を行うことを特徴とするエジェクタ式冷凍サイクル。
【請求項２】
前記ノズル部（１５ａ）および前記減圧手段（１７）は、いずれも絞り通路面積を変更可能に構成されており、
前記流出側冷媒温度（Ｔｏｅ）が前記第１基準温度（ＫＴＨ）以上となっている通常運転時に、前記ノズル部（１５ａ）および前記減圧手段（１７）のうち、一方は、サイクルの高圧側冷媒圧力が予め定めた目標高圧となるように絞り通路面積が変更され、他方は、前記流出側蒸発器（１６）出口側の冷媒過熱度が予め定めた目標過熱度となるように絞り通路面積が変更されることを特徴とする請求項１に記載のエジェクタ式冷凍サイクル。
【請求項３】
前記温度差縮小運転時には、前記第１基準温度（ＫＴＨ）から前記流出側冷媒温度（Ｔｏｅ）を減算した減算値（ＫＴＨ−Ｔｏｅ）の増加に伴って、前記温度差を徐々に縮小させることを特徴とする請求項１または２に記載のエジェクタ式冷凍サイクル。
【請求項４】
前記ノズル部（１５ａ）は、前記温度差縮小運転時に、前記減算値（ＫＴＨ−Ｔｏｅ）の増加に伴って、ノズル部（１５ａ）の絞り通路面積が縮小されることを特徴とする請求項２または３に記載のエジェクタ式冷凍サイクル。
【請求項５】
前記減圧手段（１７）は、前記温度差縮小運転時に、前記減算値（ＫＴＨ−Ｔｏｅ）の増加に伴って、前記減圧手段（１７）の絞り通路面積が拡大されることを特徴とする請求項２ないし４のいずれか１つに記載のエジェクタ式冷凍サイクル。
【請求項６】
前記流出側温度検出手段は、前記流出側蒸発器（１６）を流通する冷媒と熱交換する空気の温度を検出する空気温度センサ（３３）で構成されていることを特徴とする請求項１ないし５のいずれか１つに記載のエジェクタ式冷凍サイクル。
【請求項７】
前記流出側温度検出手段は、前記流出側蒸発器（１６）を流通する冷媒温度を検出する流出側冷媒温度センサ（３４）で構成されていることを特徴とする請求項１ないし５のいずれか１つに記載のエジェクタ式冷凍サイクル。
【請求項８】
前記流出側温度検出手段は、前記流出側蒸発器（１６）内の冷媒圧力を検出する流出側冷媒圧力センサで構成されていることを特徴とする請求項１ないし５のいずれか１つに記載のエジェクタ式冷凍サイクル。
【請求項９】
さらに、前記吸引側蒸発器（１８）における冷媒蒸発温度に相関を有する物理量を検出する吸引側温度検出手段（３５）を備え、
前記温度差縮小運転時に、前記吸引側冷媒温度（Ｔｉｅ）が０℃以上となるように、前記温度差を縮小させることを特徴とする請求項１ないし８のいずれか１つに記載のエジェクタ式冷凍サイクル。
【請求項１０】
前記吸引側温度検出手段は、前記吸引側蒸発器（１８）を流通する冷媒温度を検出する吸引側冷媒温度センサ（３５）で構成されていることを特徴とする請求項９に記載のエジェクタ式冷凍サイクル。
【請求項１１】
前記吸引側温度検出手段は、前記吸引側蒸発器（１８）内の冷媒圧力を検出する吸引側冷媒圧力センサで構成されていることを特徴とする請求項９に記載のエジェクタ式冷凍サイクル。
【請求項１２】
前記流出側冷媒温度（Ｔｏｅ）が予め定めた第１基準温度（ＫＴＨ）より低くなったときであって、かつ、予め定めた第２基準温度（ＫＴＬ）以上のときに、前記温度差縮小運転を行うことを特徴とする請求項１ないし１１のいずれか１つに記載のエジェクタ式冷凍サイクル。
【請求項１３】
前記流出側蒸発器（１６）および前記吸引側蒸発器（１８）は、内部を通過する冷媒と熱交換する空気流れの方向に対して直列に配置されていることを特徴とする請求項１ないし１２のいずれか１つに記載のエジェクタ式冷凍サイクル。
【発明の詳細な説明】
【技術分野】
【０００１】
本発明は、エジェクタを有するエジェクタ式冷凍サイクルに関する。
【背景技術】
【０００２】
従来、特許文献１に、エジェクタのノズル部の上流側に、放熱器から流出した冷媒の流れを分岐する分岐部を設け、分岐部で分岐された一方の冷媒をエジェクタのノズル部側へ流入させ、他方の冷媒をエジェクタの冷媒吸引口側へ流入させるエジェクタ式冷凍サイクルが開示されている。
【０００３】
この特許文献１のエジェクタ式冷凍サイクルでは、エジェクタの昇圧部（ディフューザ部）の下流側にディフューザ部から流出した冷媒を蒸発させる流出側蒸発器を配置し、さらに、分岐部とエジェクタの冷媒吸引口との間に、冷媒を減圧膨張させる固定絞りおよび吸引側蒸発器を配置して、双方の蒸発器において冷凍能力を発揮できるようにしている。
【０００４】
この際、ディフューザ部の昇圧作用によって、流出側蒸発器における冷媒蒸発圧力（冷媒蒸発温度）を、吸引側蒸発器における冷媒蒸発圧力（冷媒蒸発温度）よりも上昇させて、それぞれの蒸発器において異なる温度帯で冷媒を蒸発させている。
【特許文献１】特開２００５−３０８３８４号公報
【発明の開示】
【発明が解決しようとする課題】
【０００５】
ところで、特許文献１のエジェクタ式冷凍サイクルは、流出側蒸発器および吸引側蒸発器にて室外空気等から吸熱した熱量を、放熱器にて空気あるいは水等の加熱対象流体へ移動させて加熱するヒートポンプサイクル装置に適用することができる。
【０００６】
しかしながら、特許文献１のエジェクタ式冷凍サイクルを、ヒートポンプサイクル装置に適用した場合、低外気温時等に、流出側蒸発器に対して冷媒蒸発温度の低い吸引側蒸発器に着霜が生じ易くなる。このような着霜が生じると吸引側蒸発器に室外空気を流通させにくくなり、吸引側蒸発器において冷媒が室外空気から吸熱できなくなるという問題が生じる。
【０００７】
この問題に対して、吸引側蒸発器の着霜時には、圧縮機から吐出された高温冷媒を吸引側蒸発器に直接流入させて除霜するという手段が考えられる。しかし、このような手段を採用すると、除霜運転の実行中は、ヒートポンプサイクルとしての運転を中断させなければならず、加熱対象流体を安定して加熱することができなくなってしまう。
【０００８】
本発明は、上記点に鑑み、エジェクタの冷媒吸引口に接続される吸引側蒸発器の着霜を抑制可能に構成されたエジェクタ式冷凍サイクルを提供することを目的とする。
【課題を解決するための手段】
【０００９】
上記の目的を達成するため、請求項１に記載の発明では、冷媒を圧縮して吐出する圧縮機（１１）と、圧縮機（１１）から吐出された高温冷媒を放熱させる放熱器（１２）と、放熱器（１２）から流出した冷媒の流れを分岐する分岐部（１３）と、分岐部（１３）にて分岐された一方の冷媒を減圧膨張させるノズル部（１５ａ）から噴射する高速度の噴射冷媒の流れによって冷媒吸引口（１５ｂ）から冷媒を吸引して、噴射冷媒と冷媒吸引口（１５ｂ）から吸引された吸引冷媒との混合冷媒を昇圧するエジェクタ（１５）と、エジェクタ（１５）から流出した冷媒を蒸発させて、圧縮機（１１）吸入側へ流出させる流出側蒸発器（１６）と、分岐部（１３）にて分岐された他方の冷媒を減圧膨張させる減圧手段（１７）と、減圧手段（１７）にて減圧膨張された冷媒を蒸発させて、冷媒吸引口（１５ｂ）上流側へ流出させる吸引側蒸発器（１８）と、流出側蒸発器（１６）における冷媒蒸発温度に相関を有する物理量を検出する流出側温度検出手段（３３、３４）とを備え、
流出側温度検出手段（３３、３４）により検出された流出側冷媒温度（Ｔｏｅ）が予め定めた第１基準温度（ＫＴＨ）より低くなったときに、流出側冷媒温度（Ｔｏｅ）が第１基準温度（ＫＴＨ）となっているときの流出側蒸発器（１６）の冷媒蒸発温度と吸引側蒸発器（１８）の冷媒蒸発温度との温度差よりも、温度差を縮小させる温度差縮小運転を行うエジェクタ式冷凍サイクルを特徴とする。
【００１０】
これによれば、流出側冷媒温度（Ｔｏｅ）が予め定めた第１基準温度（ＫＴＨ）より低くなったときに、温度差縮小運転を行うので、吸引側蒸発器（１８）の温度が、着霜の生じ得る温度まで低下しにくくなる。従って、吸引側蒸発器（１８）の着霜を抑制可能なエジェクタ式冷凍サイクルを提供できる。
【００１１】
また、請求項２に記載の発明のように、請求項１に記載のエジェクタ式冷凍サイクルにおいて、ノズル部（１５ａ）および減圧手段（１７）は、いずれも絞り通路面積を変更可能に構成されており、流出側冷媒温度（Ｔｏｅ）が第１基準温度（ＫＴＨ）以上となっている通常運転時に、ノズル部（１５ａ）および減圧手段（１７）のうち、一方は、サイクルの高圧側冷媒圧力が予め定めた目標高圧となるように絞り通路面積が変更され、他方は、流出側蒸発器（１６）出口側の冷媒過熱度が予め定めた目標過熱度となるように絞り通路面積が変更されるようになっていてもよい。
【００１２】
請求項３に記載の発明では、請求項１または２に記載のエジェクタ式冷凍サイクルにおいて、温度差縮小運転時には、第１基準温度（ＫＴＨ）から流出側冷媒温度（Ｔｏｅ）を減算した減算値（ＫＴＨ−Ｔｏｅ）の増加に伴って、温度差を徐々に縮小させることを特徴とする。
【００１３】
これによれば、減算値（ＫＴＨ−Ｔｏｅ）の増加に伴って、温度差を徐々に縮小させるので、吸引側蒸発器（１８）の着霜を抑制できるとともに、吸引側蒸発器（１８）における冷媒の吸熱量を不必要に低下させてしまうことを回避できる。
【００１４】
請求項４に記載の発明では、請求項２または３に記載のエジェクタ式冷凍サイクルにおいて、ノズル部（１５ａ）は、温度差縮小運転時に、減算値（ＫＴＨ−Ｔｏｅ）の増加に伴って、ノズル部（１５ａ）の絞り通路面積が縮小されることを特徴とする。
【００１５】
これによれば、エジェクタ（１５）の駆動流の流量を低減させて、エジェクタ（１５）の吸引能力および昇圧能力を低下させることができるので、容易かつ確実に温度差縮小運転を実現できる。
【００１６】
請求項５に記載の発明では、請求項２ないし４のいずれか１つに記載のエジェクタ式冷凍サイクルにおいて、減圧手段（１７）は、温度差縮小運転時に、減算値（ＫＴＨ−Ｔｏｅ）の増加に伴って、減圧手段（１７）の絞り通路面積が拡大されることを特徴とする。
【００１７】
これによれば、分岐部（１３）からエジェクタ（１５）のノズル部（１５ａ）へ流入する冷媒流量を低減させて、エジェクタ（１５）の駆動流の流量を低減させることができるので、容易かつ確実に温度差縮小運転を実現できる。
【００１８】
また、請求項１ないし５のいずれか１つに記載のエジェクタ式冷凍サイクルにおいて、流出側温度検出手段は、請求項６に記載の発明のように、流出側蒸発器（１６）を流通する冷媒と熱交換する空気の温度を検出する空気温度センサ（３３）で構成されていてもよいし、請求項７に記載の発明のように、流出側蒸発器（１６）を流通する冷媒温度を検出する流出側冷媒温度センサ（３４）で構成されていてもよいし、さらに、請求項８に記載の発明のように、流出側蒸発器（１６）内の冷媒圧力を検出する流出側冷媒圧力センサで構成されていてもよい。
【００１９】
請求項９に記載の発明では、請求項１ないし８のいずれか１つに記載のエジェクタ式冷凍サイクルにおいて、さらに、吸引側蒸発器（１８）における冷媒蒸発温度に相関を有する物理量を検出する吸引側温度検出手段（３５）を備え、温度差縮小運転時に、吸引側冷媒温度（Ｔｉｅ）が０℃以上となるように、温度差を縮小させることを特徴とする。
【００２０】
これによれば、吸引側蒸発器（１８）の外表面の温度が、着霜の生じる温度まで低下しないので、吸引側蒸発器（１８）の着霜を確実に抑制できる。
【００２１】
また、請求項９に記載のエジェクタ式冷凍サイクルにおいて、吸引側温度検出手段は、請求項１０に記載の発明のように、吸引側蒸発器（１８）を流通する冷媒温度を検出する吸引側冷媒温度センサ（３５）で構成されていてもよいし、請求項１１に記載の発明のように、吸引側蒸発器（１８）内の冷媒圧力を検出する吸引側冷媒圧力センサで構成されていてもよい。
【００２２】
請求項１２に記載の発明では、請求項１ないし１１のいずれか１つに記載のエジェクタ式冷凍サイクルにおいて、流出側冷媒温度（Ｔｏｅ）が予め定めた第１基準温度（ＫＴＨ）より低くなったときであって、かつ、予め定めた第２基準温度（ＫＴＬ）以上のときに、温度差縮小運転を行うことを特徴とする。
【００２３】
これによれば、温度差縮小運転を行う必要が無い場合に、温度差縮小運転を停止させることができる。例えば、流出側蒸発器（１６）の着霜を回避できないとき、すなわち、吸引側蒸発器（１８）に確実に着霜が発生するときに、吸引側蒸発器（１８）における冷媒の吸熱量を不必要に低下させてしまうことを回避できる。
【００２４】
請求項１３に記載の発明では、請求項１ないし１２のいずれか１つに記載のエジェクタ式冷凍サイクルにおいて、流出側蒸発器（１６）および吸引側蒸発器（１８）は、内部を通過する冷媒と熱交換する空気の流れの方向に対して直列に配置されていることを特徴とする。
【００２５】
流出側蒸発器（１６）および吸引側蒸発器（１８）が、空気の流れの方向に対して直列に配置されていると、いずれか一方の蒸発器（１６、１８）に着霜が生じても双方の蒸発器に空気を流通させにくくなる。従って、着霜が生じやすい吸引側蒸発器（１８）の着霜を抑制できることは極めて有効である。
【００２６】
なお、この欄および特許請求の範囲に記載した各手段の括弧内の符号は、後述する実施形態に記載の具体的手段との対応関係を示すものである。
【発明を実施するための最良の形態】
【００２７】
図１〜４により、本発明の一実施形態について説明する。本実施形態では、本発明のエジェクタ式冷凍サイクル１０を、水道水を加熱して台所や風呂等に給湯するヒートポンプ式給湯機１に適用している。図１は、本実施形態のヒートポンプ式給湯機１の全体構成図である。
【００２８】
ヒートポンプ式給湯機１は、貯湯タンク２１内の給湯水を循環させる水循環回路２０、および、給湯水を加熱するためのヒートポンプサイクルとしてのエジェクタ式冷凍サイクル１０を備えている。まず、貯湯タンク２１は、断熱構造を有して高温の給湯水を長時間保温するための温水タンクであり、耐食性に優れた金属（例えば、ステンレス）で形成されている。
【００２９】
貯湯タンク２１に貯留された給湯水は、貯湯タンク２１の上部に設けられた出湯口から出湯され、図示しない温調弁において水道からの冷水と混合されて温度調節された後、台所や風呂等に給湯される。また、貯湯タンク２１内の下部に設けられた給水口から水道水が給水されるようになっている。
【００３０】
水循環回路２０には、給湯水を循環させる電動ポンプ２２が配置されている。この電動ポンプ２２は、後述する制御装置３０から出力される制御信号によって、その作動が制御される。そして、制御装置３０が電動ポンプ２２を作動させると、給湯水は、電動ポンプ２２→後述する水−冷媒熱交換器１２の水通路１２ａ→貯湯タンク２１→電動ポンプ２２の順に循環する。
【００３１】
次に、エジェクタ式冷凍サイクル１０について説明する。エジェクタ式冷凍サイクル１０において、圧縮機１１は、冷媒を吸入し、圧縮して吐出するもので、本実施形態では、吐出容量が固定された圧縮機構１１ａを電動モータ１１ｂにて駆動する電動圧縮機を採用している。この圧縮機構１１ａとしては、具体的に、スクロール型、ベーン型、ローリングピストン型等の各種圧縮機構を採用できる。
【００３２】
電動モータ１１ｂは、後述する制御装置３０から出力される制御信号によって、その作動（回転数）が制御されるもので、交流モータ、直流モータのいずれの形式を採用してもよい。そして、この回転数制御によって、圧縮機構１１ａの冷媒吐出能力が変更される。従って、本実施形態の電動モータ１１ｂは、圧縮機構１１ａの冷媒吐出能力を変更する吐出能力変更手段を構成している。
【００３３】
圧縮機１１の吐出側には、水−冷媒熱交換器１２の冷媒通路１２ｂが接続されている。水−冷媒熱交換器１２は、圧縮機１１から吐出された高温高圧冷媒が通過する冷媒通路１２ｂと給湯水が通過する水通路１２ａとを有して構成される熱交換器であって、圧縮機１１から吐出された高温高圧冷媒の有する熱量を給湯水に放熱させる放熱器である。
【００３４】
なお、本実施形態のエジェクタ式冷凍サイクル１０では、冷媒として二酸化炭素を採用しており、高圧側冷媒圧力が冷媒の臨界圧力以上となる超臨界冷凍サイクルを構成している。従って、水−冷媒熱交換器１２の冷媒通路１２ｂでは、冷媒（二酸化炭素）は凝縮することなく超臨界状態のまま放熱する。
【００３５】
水−冷媒熱交換器１２の冷媒通路１２ｂ出口側には、冷媒通路１２ｂから流出した高圧冷媒の流れを分岐する分岐部１３が接続されている。分岐部１３は、３つの流入出口を有する三方継手構造のもので、流入出口のうち１つを冷媒流入口とし、２つを冷媒流出口としている。このような三方継手は、管径の異なる配管を接合して構成してもよいし、金属ブロックや樹脂ブロックに通路径の異なる複数の冷媒通路を設けて構成してもよい。
【００３６】
さらに、分岐部１３の一方の冷媒流出口には、分岐部１３と後述するエジェクタ１５のノズル部１５ａ入口側とを接続するノズル部側配管１４ａが接続され、他方の冷媒流出口には、分岐部１３とエジェクタ１５の冷媒吸引口１５ｂ側とを接続する吸引口側配管１４ｂが接続されている。
【００３７】
エジェクタ１５は、冷媒減圧手段の機能を果たすとともに、ノズル部１５ａから噴射される噴射冷媒の吸引作用によって冷媒の循環を行う運動量輸送式ポンプとしての機能を果たすものである。
【００３８】
具体的には、エジェクタ１５は、ノズル部側配管１４ａから流出した高圧冷媒の通路面積を小さく絞って、冷媒を減圧させるノズル部１５ａ、および、ノズル部１５ａの冷媒噴射口と連通するように配置されて、後述する吸引側蒸発器１８から流出した冷媒を吸引する冷媒吸引口１５ｂ等を有している。
【００３９】
ノズル部１５ａは、絞り通路面積を変更可能に構成された可変ノズル部である。具体的には、ノズル部１５ａの内部に配置されてノズル部１５ａの絞り開度を調整するニードル弁１５ｃ、このニードル弁１５ｃをノズル部１５ａの軸方向に変位させるステッピングモータ等からなる電動アクチュエータ１５ｄを有して構成される。なお、この電動アクチュエータ１５ｄは、制御装置３０から出力される制御信号によって駆動制御される。
【００４０】
さらに、ノズル部１５ａおよび冷媒吸引口１５ｂの冷媒流れ下流側には、ノズル部１５ａから噴射する高速度の噴射冷媒と冷媒吸引口１５ｂから吸引された吸引冷媒とを混合する混合部１５ｅを有し、混合部１５ｅの冷媒流れ下流側には昇圧部をなすディフューザ部１５ｆを有している。
【００４１】
ディフューザ部１５ｆは冷媒の通路面積を徐々に大きくする形状に形成されており、冷媒流れを減速して冷媒圧力を上昇させる作用、つまり、冷媒の速度エネルギを圧力エネルギに変換する作用を果たす。さらに、ディフューザ部１５ｆの出口側には、流出側蒸発器１６が接続されている。
【００４２】
流出側蒸発器１６は、ディフューザ部１５ｆから流出した冷媒と送風ファン１６ａより送風された室外空気とを熱交換させることによって、冷媒を蒸発させて吸熱作用を発揮させる吸熱用熱交換器である。送風ファン１６ａは、制御装置３０から出力される制御電圧によって回転数（送風空気量）が制御される電動式送風機である。流出側蒸発器１６の出口側には、圧縮機１１の冷媒吸入口が接続されている。
【００４３】
次に、分岐部１３にて分岐された他方の冷媒が流れる吸引口側配管１４ｂには、電気式膨張弁１７および吸引側蒸発器１８が、冷媒流れの上流側からこの順に配置されている。電気式膨張弁１７は、吸引口側配管１４ｂへ流入した冷媒を減圧膨張させる減圧手段である。
【００４４】
さらに、電気式膨張弁１７は、絞り開度（絞り通路面積）を変更する弁体部１７ａ、および、この弁体部１７ａの絞り開度を可変制御するサーボモータ等からなる電動アクチュエータ１７ｂを有して構成される。この電動アクチュエータ１７ｂは、制御装置３０から出力される制御信号によって、その作動が制御される。
【００４５】
吸引側蒸発器１８は、電気式膨張弁１７にて減圧膨張された冷媒と、送風ファン１６ａから送風された流出側蒸発器１６通過後の室外空気とを熱交換させることによって、冷媒を蒸発させて吸熱作用を発揮させる吸熱用熱交換器である。吸引側蒸発器１８の出口側には、エジェクタ１５の冷媒吸引口１５ｂが接続されている。
【００４６】
なお、本実施形態では、流出側蒸発器１６および吸引側蒸発器１８をフィンアンドチューブ構造の熱交換器で構成し、流出側蒸発器１６および吸引側蒸発器１８の熱交換フィンを共通化している。そして、エジェクタ１５から流出した冷媒を流通させるチューブ構成と、電気式膨張弁１７から流出した冷媒を流通させるチューブ構成とを互いに独立に設けることで、流出側蒸発器１６および吸引側蒸発器１８を一体構造に構成している。
【００４７】
そのため、上述の送風ファン１６ａにて送風された室外空気は、矢印１００のように流れ、まず、流出側蒸発器１６にて吸熱され、次に吸引側蒸発器１８にて吸熱されるようになっている。
【００４８】
つまり、流出側蒸発器１６および吸引側蒸発器１８は、それぞれの内部を通過する冷媒と熱交換する室外空気の流れの方向（矢印１００方向）に対して直列に配置されている。もちろん、流出側蒸発器１６および吸引側蒸発器１８を２つの別体の蒸発器で構成し、空気流れ方向（矢印１００方向）に直列に配置してもよい。
【００４９】
次に、本実施形態の電気制御部の概要を説明する。制御装置３０は、ＣＰＵ、ＲＯＭおよびＲＡＭ等を含む周知のマイクロコンピュータおよびその周辺回路等により構成され、その出力側には、圧縮機１１の電動モータ１１ｂ、エジェクタ１５の電動アクチュエータ１５ｄ、送風ファン１６ａ、電気式膨張弁１７の電動アクチュエータ１７ｂ、電動ポンプ２２等が接続され、これらの機器の作動を制御する。
【００５０】
なお、制御装置３０は、上記した各種アクチュエータを制御する制御手段が一体に構成されたものであるが、本実施形態では、特に、制御装置３０のうちエジェクタ１５の電動アクチュエータ１５ｄの作動を制御する構成（ハードウェアおよびソフトウェア）を第１通路面積制御手段３０ａとし、電気式膨張弁１７の電動アクチュエータ１７ｂの作動を制御する構成を第２通路面積制御手段３０ｂとする。もちろん、各制御手段３０ａ、３０ｂを別々の制御装置によって構成してもよい。
【００５１】
また、制御装置３０の入力側には、水−冷媒熱交換器１２の水通路１２ａ出口側の給湯水温度Ｔｗｏを検出する給湯水温度センサ３１、水−冷媒熱交換器１２の冷媒通路１２ｂ出口側の冷媒温度Ｔｒｏを検出する高圧冷媒温度センサ３２、送風ファン１６ａにより送風される室外空気温度（外気温）Ｔａｍを検出する室外空気温度センサ３３等が接続される。
【００５２】
さらに、本実施形態では、流出側蒸発器１６内を流通する流出側冷媒温度Ｔｏｅを検出する流出側冷媒温度センサ３４、吸引側蒸発器１８内を流通する吸引側冷媒温度Ｔｉｅを検出する吸引側冷媒温度センサ３５等が接続され、これらのセンサ群３１〜３５の検出信号が制御装置３０へ入力される。
【００５３】
なお、流出側冷媒温度センサ３４は、流出側蒸発器１６における冷媒蒸発温度を検出する流出側温度検出手段を構成するもので、具体的に、流出側蒸発器１６のフィン温度を検出している。もちろん、流出側蒸発器１６内を流通する冷媒の温度を直接検出してもよいし、流出側蒸発器１６出口側の冷媒配管の表面温度等を検出してもよい。
【００５４】
また、吸引側冷媒温度センサ３５は、吸引側蒸発器１８における冷媒蒸発温度を検出する吸引側温度検出手段を構成するもので、具体的に、吸引側蒸発器１８のフィン温度、吸引側蒸発器１８内を流通する冷媒の温度等を検出してもよい。さらに、制御装置３０の入力側には、操作パネル４０が接続され、給湯機作動・停止の操作信号、給湯機の給湯温度設定信号等が制御装置３０へ入力される。
【００５５】
次に、上記の構成における本実施形態のヒートポンプ式給湯機１の作動を図２に基づいて説明する。図２は、制御装置３０が実行する制御処理を示すフローチャートである。この制御処理は、ヒートポンプ式給湯機１に外部から電源が供給された状態で、操作パネル４０の給湯機作動信号が制御装置３０に入力されるとスタートする。
【００５６】
まず、ステップＳ１ではフラグ、タイマ等の初期化がなされ、次のステップＳ２で操作パネル４０の操作信号およびセンサ群３１〜３５等により検出された検出信号を読込む。次に、ステップＳ３へ進み、各種アクチュエータの制御状態が、ステップＳ２で読み込んだ操作信号および検出信号に基づいて、フィードバック制御（例えば、比例積分制御）等により決定される。
【００５７】
例えば、圧縮機１１の電動モータ１１ｂについては、流出側冷媒温度センサ３４によって検出された流出側冷媒温度Ｔｏｅが目標蒸発温度に近づくように決定される。この目標蒸発温度は、給湯水温度センサ３１によって検出された給湯水温度Ｔｗｏ、室外空気温度センサ３３によって検出された外気温Ｔａｍ、操作パネル４０により設定された設定給湯温度等に基づいて算出される。
【００５８】
また、電動ポンプ２２に出力される制御信号については、給湯水温度センサ３１によって検出された給湯水温度Ｔｗｏが、操作パネル４０により設定された設定給湯温度に近づくように決定される。また、エジェクタ１５の電動アクチュエータ１５ｄに出力される制御信号については、流出側蒸発器１６の出口側冷媒の過熱度が予め定めた目標過熱度となるように決定される。
【００５９】
また、電気式膨張弁１７の電動アクチュエータ１７ｂに出力される制御信号については、サイクルの高圧側冷媒圧力が目標高圧となるように決定される。この目標高圧は、高圧冷媒温度センサ３２により検出された冷媒温度Ｔｒｏに基づいて、予め制御装置３０に記憶された制御マップを参照して、サイクルの成績係数（ＣＯＰ）が略最大となるように決定される。
【００６０】
本実施形態では、このようにエジェクタ１５の電動アクチュエータ１５ｄおよび電気式膨張弁１７の電動アクチュエータ１７ｂに出力される制御信号が決定されることで、分岐部１３からノズル部側配管１４ａへ流入する冷媒流量と吸引口側配管１４ｂへ流入する冷媒流量との流量比が適切に決定され、エジェクタ１５の昇圧能力が十分に発揮されるようになっている。
【００６１】
次に、ステップＳ４へ進み、流出側冷媒温度センサ３４によって検出された流出側冷媒温度Ｔｏｅが予め定めた第１基準温度ＫＴＨより低いか否かを判定する。そして、流出側冷媒温度Ｔｏｅが第１基準温度ＫＴＨより低い場合には、吸引側蒸発器１８に着霜が生じるおそれがあるものとして、ステップＳ５へ進む。
【００６２】
なお、本実施形態では、具体的に、第１基準温度ＫＴＨを３℃としているが、本発明者らの検討によれば、第１基準温度ＫＴＨは、３〜５℃程度とすることが望ましい。
【００６３】
ステップＳ５では、流出側冷媒温度Ｔｏｅが予め定めた第２基準温度ＫＴＬ以上になっているか否かを判定する。そして、流出側冷媒温度Ｔｏｅが第２基準温度ＫＴＬ以上になっている場合は、吸引側蒸発器１８に着霜が生じるおそれがあるものの、この着霜については抑制可能であるとして、ステップＳ６へ進む。なお、本実施形態では、具体的に、第２基準温度ＫＴＬを０℃程度としている。
【００６４】
ステップＳ６では、流出側蒸発器１６の冷媒蒸発温度と吸引側蒸発器１８の冷媒蒸発温度との温度差を縮小させる温度差縮小運転が実行される。
【００６５】
具体的には、このステップＳ６では、第１基準温度ＫＴＨから流出側冷媒温度Ｔｏｅを減算した減算値ＫＴＨ−Ｔｏｅの増加に伴って、ステップＳ３で決定されたノズル部１５ａの絞り通路面積Ａｅｊを徐々に縮小し、電気式膨張弁１７の絞り通路面積Ａｅｘを徐々に拡大するように、エジェクタ１５の電動アクチュエータ１５ｄおよび電気式膨張弁１７の電動アクチュエータ１７ｂに出力される制御信号を変更する。
【００６６】
これにより、図３に示すように、減算値ＫＴＨ−Ｔｏｅの増加に伴って、ノズル部１５ａの絞り通路面積Ａｅｊと電気式膨張弁１７の絞り通路面積Ａｅｘとの面積比Ａｅｊ／Ａｅｘが徐々に縮小される。なお、図３は、流出側冷媒温度Ｔｏｅと面積比Ａｅｊ／Ａｅｘとの関係を示すグラフである。
【００６７】
さらに、温度差縮小運転時には、吸引側冷媒温度センサ３５によって検出される吸引側冷媒温度Ｔｉｅが０℃以上となる範囲で、電動アクチュエータ１５ｄ、１７ｄに出力される制御信号が変更されて、ステップＳ７へ進む。なお、吸引側冷媒温度Ｔｉｅが０℃以上となる各絞り通路面積Ａｅｊ、Ａｅｘの範囲は、圧縮機１１の冷媒吐出能力（電動モータ１１ｂへ出力される制御信号）から決定することができる。
【００６８】
一方、ステップＳ４にて、流出側冷媒温度Ｔｏｅが第１基準温度ＫＴＨより低くなっていない場合、および、ステップＳ５にて、流出側冷媒温度Ｔｏｅが第２基準温度ＫＴＬ以上になっていない場合は、ステップＳ７へ進む。これにより、温度差縮小運転が実行されることなく、通常運転が実行される。
【００６９】
ステップＳ７では、通常運転時には、ステップＳ３で決定された制御状態が得られるように、そして、温度差縮小運転時には、ステップＳ３およびステップＳ６で決定された制御状態が得られるように、制御装置３０から各種アクチュエータ１１ｂ、１５ｄ、１６ａ、１７ｂ、２２等に対して制御信号が出力される。
【００７０】
次のステップＳ８では、操作パネル４０からの給湯機停止信号が制御装置３０へ入力されている場合は、各種アクチューエータ１１ｂ、１５ｄ、１６ａ、１７ｂ、２２の作動を停止させて、システムを停止させる。一方、給湯機停止信号が入力されていない場合は、予め定めた制御周期の間待機した後、ステップＳ２に戻るようになっている。
【００７１】
従って、本実施形態のヒートポンプ式給湯機１を作動させると、圧縮機１１から吐出された高温高圧の冷媒は、水−冷媒熱交換器１２の冷媒通路１２ｂに流入して、電動ポンプ２２によって貯湯タンク２１の下方側から水通路１２ａに流入した給湯水と熱交換する。これにより、給湯水が加熱され、加熱された給湯水は貯湯タンク２１の上方側に貯留される。
【００７２】
この際、本実施形態のエジェクタ式冷凍サイクル１０では、冷媒として二酸化炭素を採用し、超臨界冷凍サイクルを構成しているので、冷媒としてフロン等を採用する場合に対して、高圧冷媒の温度を上昇させることができる。その結果、水−冷媒熱交換器１２において給湯水に放熱する熱量を増加させて給湯水温度を高温化することができる。
【００７３】
水−冷媒熱交換器１２から流出した高圧冷媒は分岐部１３へ流入し、分岐部１３にて分岐された一方の冷媒は、エジェクタ１５のノズル部１５ａに流入して、等エントロピ的に減圧膨張される。この減圧膨張時に冷媒の圧力エネルギが速度エネルギに変換されて、冷媒がノズル部１５ａの冷媒噴射口から高速度の噴射冷媒となって噴射される。
【００７４】
この際、噴射冷媒の吸引作用により、冷媒吸引口１５ｂから吸引側蒸発器１８流出冷媒が吸引される。さらに、混合部１５ｅにおいて、ノズル部１５ａの冷媒噴射口から噴射された噴射冷媒と冷媒吸引口１５ｂから吸引された吸引冷媒が混合され、ディフューザ部１５ｆに流入する。ディフューザ部１５ｆでは通路面積の拡大により、冷媒の速度エネルギが圧力エネルギに変換されるため、冷媒の圧力が上昇する。
【００７５】
エジェクタ１５のディフューザ部１５ｆから流出した冷媒は、流出側蒸発器１６へ流入して、送風ファン１６ａから送風された室外空気から吸熱して蒸発する。流出側蒸発器１６から流出した冷媒は圧縮機１１に吸入され、再び圧縮される。
【００７６】
一方、分岐部１３にて分岐された他方の冷媒は、電気式膨張弁１７にて減圧膨張されて、吸引側蒸発器１８へ流入する。吸引側蒸発器１８へ流入した冷媒は、送風ファン１６ａから送風されて流出側蒸発器１６にて冷却された外気から吸熱して蒸発する。さらに、吸引側蒸発器１８から流出した冷媒は、冷媒吸引口１５ｂからエジェクタ１５内へ吸引される。
【００７７】
この際、電気式膨張弁１７の絞り通路面積は、ＣＯＰが略最大となるように調整されるので、高いＣＯＰを発揮させながら、エジェクタ式冷凍サイクル１０を運転することができる。また、エジェクタ１５では、圧縮機１１吸入冷媒の過熱度が予め定めた値となるように絞り開度が制御されるので、圧縮機１１への液バックの問題も生じない。
【００７８】
さらに、本実施形態のエジェクタ式冷凍サイクル１０では、流出側蒸発器１６および吸引側蒸発器１８にて冷媒に吸熱作用を発揮させる際に、流出側蒸発器１６における冷媒蒸発圧力をディフューザ部１５ｆで昇圧した後の圧力として、一方、吸引側蒸発器１８は冷媒吸引口１５ｂに接続されるので、吸引側蒸発器１８における冷媒蒸発圧力をノズル部１５ａ減圧直後の最も低い圧力とすることができる。
【００７９】
従って、流出側蒸発器１６における冷媒蒸発圧力（冷媒蒸発温度）よりも吸引側蒸発器１８における冷媒蒸発圧力（冷媒蒸発温度）を低くすることができる。その結果、流出側蒸発器１６および吸引側蒸発器１８における冷媒蒸発温度と送風ファン１６ａから送風された外気との温度差を確保して、効率的に冷媒に吸熱作用を発揮させることができる。
【００８０】
さらに、本実施形態では、流出側冷媒温度Ｔｏｅが予め定めた第１基準温度ＫＴＨより低くなったときに、温度差縮小運転を行うので、吸引側蒸発器１８の温度が、着霜の生じ得る温度まで低下しにくくなり、吸引側蒸発器１８に着霜が生じてしまうこと抑制できる。
【００８１】
このことをより詳細に説明すると、温度差縮小運転では、前述の如く、減算値ＫＴＨ−Ｔｏｅの増加に伴って、ノズル部１５ａの絞り通路面積を徐々に縮小し、電気式膨張弁１７の絞り通路面積が徐々に拡大することで、面積比Ａｅｊ／Ａｅｘを縮小させている。
【００８２】
従って、通常運転時に対して、分岐部１３からノズル部側配管１４ａへ流入する冷媒流量を減少させると同時に吸引口側配管１４ｂへ流入する冷媒流量を増加させることができる。このため、エジェクタ１５のノズル部１５ａへ流入する冷媒流量、すなわちエジェクタ１５の駆動流の流量を低減させて、エジェクタ１５の吸引能力および昇圧能力を低下させることができる。
【００８３】
その結果、図４に示すように、流出側蒸発器１６の冷媒蒸発温度と吸引側蒸発温度１８の冷媒蒸発温度との温度差を縮小することができ、吸引側蒸発器１８に着霜が生じてしまうことを容易に抑制できる。なお、図４は、流出側冷媒温度Ｔｏｅと温度差との関係を示すグラフである。
【００８４】
しかも、減算値ＫＴＨ−Ｔｏｅの増加に伴って、流出側蒸発器１６の冷媒蒸発温度と吸引側蒸発器１８の冷媒蒸発温度との温度差を徐々に縮小させるので、単に、吸引側蒸発器１８の着霜を抑制できるだけでなく、吸引側蒸発器１８の冷却能力が不必要に低下してしまうことも回避できる。
【００８５】
さらに、温度差縮小運転時には、吸引側冷媒温度Ｔｉｅが０℃以上となるように、電動アクチュエータ１５ｄ、１７ｂに出力される制御信号が変更されるので、吸引側蒸発器１８の着霜を確実に抑制できる。
【００８６】
さらに、本実施形態のように、流出側蒸発器１６および吸引側蒸発器１８が、空気流れの方向に対して直列に配置されていると、いずれか一方の蒸発器１６、１８に着霜が生じても双方の蒸発器に空気を流通させにくくなる。従って、着霜が生じやすい吸引側蒸発器１８の着霜を抑制できることは、極めて有効である。
【００８７】
その一方、流出側冷媒温度Ｔｏｅが第２基準温度ＫＴＬ（０℃）以上になっていないときは、流出側蒸発器１６にも着霜が生じ、吸引側蒸発器１８の着霜を回避することができないものとして、温度差縮小運転を行わない。つまり、吸引側蒸発器１８の着霜を回避できない場合は、極力高いＣＯＰを発揮させながらエジェクタ式冷凍サイクル１０を運転し続けることができる。
【００８８】
（他の実施形態）
本発明は上述の実施形態に限定されることなく、以下のように種々変形可能である。
【００８９】
（１）上述の実施形態では、流出側温度検出手段を流出側冷媒蒸発温度センサ３４で構成した例を説明したが、流出側温度検出手段はこれに限定されない。例えば、流出側蒸発器１６における冷媒蒸発温度に相関を有する物理量として、流出側蒸発器１６における冷媒蒸発圧力を検出する流出側冷媒圧力センサで構成されていてもよい。
【００９０】
同様に、吸引側温度検出手段についても、吸引側冷媒温度センサ３５に限定されることなく、例えば、吸引側蒸発器１８における冷媒蒸発温度に相関を有する物理量として、吸引側蒸発器１８における冷媒蒸発圧力を検出する吸引側冷媒圧力センサで構成されていてもよい。
【００９１】
さらに、上述の実施形態のように、室外空気温度センサ３３によって検出された外気温Ｔａｍに基づいて圧縮機１１の冷媒吐出能力を制御するエジェクタ式冷凍サイクルでは、外気温Ｔａｍも流出側蒸発器１６における冷媒蒸発温度に相関を有する物理量となる。従って、流出側温度検出手段は室外空気温度センサ３３によって構成されていてもよい。
【００９２】
また、上述のステップＳ４にて、流出側冷媒温度Ｔｏｅに代えて、外気温Ｔａｍの値を直接判定に用いることもできる。この場合は、本発明者らの検討によれば、第１基準温度ＫＴＨを５．５℃程度とすればよい。
【００９３】
（２）上述の実施形態では、通常運転時に、流出側蒸発器１６の出口側冷媒の過熱度が予め定めた目標過熱度となるようにノズル部１５ａの絞り通路面積が変更され、サイクルの高圧側冷媒圧力が目標高圧となるように電気式膨張弁１７の絞り通路面積が変更される例を説明したが、もちろんこの逆であってもよい。
【００９４】
つまり、流出側蒸発器１６の出口側冷媒の過熱度が予め定めた目標過熱度となるように電気式膨張弁１７の絞り通路面積が変更され、サイクルの高圧側冷媒圧力が目標高圧となるようにノズル部１５ａの絞り通路面積が変更されるようになっていてもよい。
【００９５】
（３）上述の実施形態では、冷媒として二酸化炭素を採用した例を説明したが、冷媒の種類はこれに限定されない。例えば、炭化水素系冷媒、通常のフロン系冷媒等を採用してもよい。また、本発明のエジェクタ式冷凍サイクルを高圧側冷媒圧力が冷媒の臨界圧力を超えない亜臨界冷凍サイクルとして構成してもよい。
【００９６】
（４）上述の実施形態では、圧縮機１１として、電動圧縮機を採用した例を説明したが、圧縮機１１の形式はこれに限定されない。例えば、エンジン等を駆動源とするエンジン駆動式圧縮機を採用してもよい。また、圧縮機構として、固定容量型圧縮機構のみならず、可変容量型圧縮機構を採用してもよい。
【００９７】
（５）上述の実施形態では、温度差縮小運転時に、ノズル部１５ａの絞り通路面積を縮小すると同時に、電気式膨張弁１７の絞り通路面積を拡大する例を説明したが、ノズル部１５ａの絞り通路面積および電気式膨張弁１７の絞り通路面積のうちいずれか一方のみを変化させても、面積比Ａｅｊ／Ａｅｘを変更することができる。
【００９８】
例えば、温度差縮小運転時にノズル部１５ａのみを縮小させてもよい。この場合は、電気式膨張弁１７の代わりに固定絞りを採用してもよい。さらに、電気式膨張弁１７の絞り通路面積のみを拡大させてもよい。この場合は、エジェクタ１５のノズル部１５ａとして絞り通路面積の固定された固定ノズル部を採用してもよい。
【００９９】
（６）上述の実施形態では、流出側蒸発器１６および吸引側蒸発器１８を、空気の流れの方向に対して直列に配置した例を説明したが、もちろん、流出側蒸発器１６および吸引側蒸発器１８を、空気の流れの方向に対して並列に配置してもよいし、別々の送風ファンから送風される空気と熱交換させるように配置してもよい。
【０１００】
（７）上述の実施形態では、本発明のエジェクタ式冷凍サイクル１０をヒートポンプ式給湯機１に適用した例を説明したが、本発明の適用はこれに限定されない。例えば、定置型の空調装置、車両用空調装置等に適用してもよい。この場合、流出側蒸発器１６および吸引側蒸発器１８を室内送風空気を冷却する室内側熱交換器とし、放熱器を高圧冷媒と大気とを熱交換させる室外側熱交換器としてもよい。
【図面の簡単な説明】
【０１０１】
【図１】一実施形態のエジェクタ式冷凍サイクルの全体構成図である。
【図２】一実施形態のヒートポンプ式給湯機の制御フローを示すフローチャートである。
【図３】流出側冷媒温度Ｔｏｅの変化に対する面積比Ａｅｊ／Ａｅｘの変化を示すグラフである。
【図４】流出側冷媒温度Ｔｏｅの変化に対する各蒸発器における冷媒蒸発温度の温度差の変化を示すグラフである。
【符号の説明】
【０１０２】
１１      圧縮機
１２      放熱器
１３      分岐部
１５      エジェクタ
１５ａ    ノズル部
１５ｂ    冷媒吸引口
１６      流出側蒸発器
１７      電気式膨張弁
１８      吸引側蒸発器
３３      室外空気温度センサ
３４      流出側冷媒温度センサ
３５      吸引側冷媒温度センサ
【図１】
2009300028.tif 000003
【図２】
2009300028.tif 000004
【図３】
2009300028.tif 000005
【図４】
2009300028.tif 000006